(57)【要約】  情報処理システムであって、作業において予め定められた条件に合致する場合に、作業者の注意を喚起する注意情報を出力するよう制御する出力制御手段を有することを特徴とする。
2019049643.tif 000002
【特許請求の範囲】
【請求項１】
作業において予め定められた条件に合致する場合に、作業者の注意を喚起する注意情報を出力するよう制御する出力制御手段を有することを特徴とする情報処理システム。
【請求項２】
前記出力制御手段は、前記作業者が装着するウェアラブルデバイスの表示部に前記注意情報を出力するよう制御することを特徴とする請求項１に記載の情報処理システム。
【請求項３】
情報を取得する取得手段と、
前記情報に基づいて、前記条件に合致するか否かを判定する判定手段と
をさらに有することを特徴とする請求項１に記載の情報処理システム。
【請求項４】
前記取得手段は、前記作業者が装着するウェアラブルデバイスの撮像部により撮像された画像から前記情報を取得することを特徴とする請求項３に記載の情報処理システム。
【請求項５】
前記条件は、前記作業の種類に係る条件であり、
前記取得手段は、作業者の作業の種類を示す情報を取得し、
前記判定手段は、前記取得手段が取得した前記作業の種類を示す情報に基づいて、前記条件に合致するか否かを判定することを特徴とする請求項３又は４に記載の情報処理システム。
【請求項６】
前記作業の種類を示す情報に基づいて、前記注意情報を決定する決定手段をさらに有し、
前記出力制御手段は、前記決定手段により決定された前記注意情報を出力するよう制御することを特徴とする請求項５に記載の情報処理システム。
【請求項７】
前記条件は、前記作業の作業場所に係る条件であり、
前記取得手段は、作業者の作業場所に係る位置情報を取得し、
前記判定手段は、前記取得手段が取得した前記位置情報に基づいて、前記条件に合致するか否かを判定することを特徴とする請求項３又は４に記載の情報処理システム。
【請求項８】
前記位置情報に基づいて、前記注意情報を決定する決定手段をさらに有し、
前記出力制御手段は、前記決定手段により決定された前記注意情報を出力するよう制御することを特徴とする請求項７に記載の情報処理システム。
【請求項９】
前記条件は、前記作業に係る物品に係る条件であり、
前記取得手段は、前記作業者の作業対象の物品に係る物品情報を取得し、
前記判定手段は、前記取得手段が取得した前記物品情報に基づいて、前記条件に合致するか否かを判定することを特徴とする請求項３又は４に記載の情報処理システム。
【請求項１０】
前記物品情報に基づいて、前記注意情報を決定する決定手段をさらに有し、
前記出力制御手段は、前記決定手段により決定された前記注意情報を出力するよう制御することを特徴とする請求項９に記載の情報処理システム。
【請求項１１】
前記条件は、期間に係る条件であり、
前記出力制御手段は、作業を行うタイミングが前記期間に係る条件に合致する場合に、前記注意情報を出力するよう制御することを特徴とする請求項１に記載の情報処理システム。
【請求項１２】
前記作業者の属性を取得する取得手段と、
前記属性に基づいて、前記注意情報を決定する決定手段と
をさらに有し、
前記出力制御手段は、前記決定手段により決定された前記注意情報を出力するよう制御することを特徴とする請求項１乃至１１の何れか１項に記載の情報処理システム。
【請求項１３】
前記注意情報を確認した旨の確認情報を受け付ける受付手段をさらに有することを特徴とする請求項１乃至１２の何れか１項に記載の情報処理システム。
【請求項１４】
前記注意情報の出力に対する作業者からの評価情報を受け付ける受付手段と、
前記評価情報を集計する集計手段と
を有することを特徴とする請求項１乃至１３の何れか１項に記載の情報処理システム。
【請求項１５】
作業において予め定められた条件に合致する場合に、作業者の注意を喚起する注意情報を出力するよう制御する出力制御手段を有することを特徴とする情報処理装置。
【請求項１６】
情報処理システムが実行する情報処理方法であって、
作業において予め定められた条件に合致する場合に、作業者の注意を喚起する注意情報を出力するよう制御する出力制御ステップを含むことを特徴とする情報処理方法。
【請求項１７】
コンピュータを、
作業において予め定められた条件に合致する場合に、作業者の注意を喚起する注意情報を出力するよう制御する出力制御手段として機能させるためのプログラム。
【請求項１８】
コンピュータを、
作業において予め定められた条件に合致する場合に、作業者の注意を喚起する注意情報を出力するよう制御する出力制御手段として機能させるためのプログラムを記憶したコンピュータにより読み取り可能な記憶媒体。
【発明の詳細な説明】
【技術分野】
【０００１】
本発明は、情報処理システム、情報処理装置、情報処理方法、プログラム及び記憶媒体に関する。
【背景技術】
【０００２】
従来、倉庫作業において、作業者に注意喚起を行いたい場合には、看板を張り出して注意喚起を行う等の方法が取られていた。また、特許文献１には、注意喚起を行う技術として、複数種類の物品の組合せ作業を行う組合せエリアにおいて、組合せに必要な組合せ情報を移動棚に保持される箱体に対応して報知するピッキングシステムが開示されている。
【先行技術文献】
【特許文献】
【０００３】
【特許文献１】特許第５７６０９２５号公報
【発明の概要】
【発明が解決しようとする課題】
【０００４】
しかしながら、看板等に示される内容がどの商品、どの作業に対応する注意喚起であるのかわかり難いといった問題があった。また、特許文献１の技術においては、専用の棚に移送する等の特別な仕組みが必要となりコストがかかるという問題があった。【０００５】
本発明はこのような問題点に鑑みなされたもので、作業に関する注意喚起を簡素な構成で適切なタイミングで行うことを目的とする。
【課題を解決するための手段】
【０００６】
そこで、本発明は、情報処理システムであって、作業において予め定められた条件に合致する場合に、作業者の注意を喚起する注意情報を出力するよう制御する出力制御手段を有することを特徴とする。
【発明の効果】
【０００７】
本発明によれば、作業に関する注意喚起を簡素な構成で適切なタイミングで行うことができる。
【図面の簡単な説明】
【０００８】
【図１】図１は、情報処理システムの全体図である。
【図２】図２は、スマートグラスのハードウェア構成等の一例を示す図である。
【図３】図３は、サーバ装置のハードウェア構成の一例を示す図である。
【図４】図４は、商品テーブルのデータ構成の一例を示す図である。
【図５】図５は、注意喚起テーブルのデータ構成の一例を示す図である。
【図６】図６は、作業者テーブルのデータ構成の一例を示す図である。
【図７】図７は、ロケーションテーブルのデータ構成の一例を示す図である。
【図８】図８は、作業管理処理を示すシーケンス図である。
【図９】図９は、ピッキングリストのデータ構成の一例を示す図である。
【図１０】図１０は、表示画面の一例を示す図である。
【図１１】図１１は、表示画面の一例を示す図である。
【図１２】図１２は、変形例に係る表示画面の一例を示す図である。
【図１３】図１３は、変形例に係る表示画面の一例を示す図である。
【図１４】図１４は、変形例に係る表示画面の一例を示す図である。
【図１５】図１５は、変形例に係る表示画面の一例を示す図である。
【図１６】図１６は、変形例に係るテーブルのデータ構成の一例を示す図である。
【発明を実施するための形態】
【０００９】
以下、本発明の実施形態について図面に基づいて説明する。
【００１０】
図１は、情報処理システムの全体図である。情報処理システムは、作業者による作業を支援するシステムであり、単一の又は複数のスマートグラス１００、サーバ装置１３０を含む。ここで、スマートグラス１００は、ウェアラブルデバイスの一例である。ここで、作業としては、物品のピッキング作業や、物品の入庫作業、物品の配置替えによる整理整頓作業等が挙げられる。なお作業場所としては倉庫が挙げられる。ここで、倉庫は、物品の保管に利用される施設である。物品の保管には、例えば、注文を受け付け発送されるまでの商品の保管等の物品の一時的な保管や、工場等で生産される製品の中間加工品の一時的な保管や、資源の貯蓄や保存等の物品の長期的な保管等がある。スマートグラス１００、サーバ装置１３０は、ネットワークを介して、無線通信が可能なように接続されている。
【００１１】
スマートグラス１００は、作業者が装着するメガネ型の情報処理装置であり、カメラ１１０及びマイク１２０と接続されている。なお、他の例としては、スマートグラス１００、カメラ１１０及びマイク１２０は、一つの装置で構成されてもよいし、有線又は無線を介して通信可能に接続された別々の装置で構成されていてもよい。また、作業者が携帯する装置は、スマートグラス１００に限定されるものではなく、スマートフォンやタブレット等の携帯端末装置であってもよい。
【００１２】
サーバ装置１３０は、スマートグラス１００にピッキング等の指示を出す情報処理装置である。サーバ装置１３０は、例えば、パーソナルコンピュータ（ＰＣ）、タブレット装置、サーバ装置等で構成される。
【００１３】
作業者はスマートグラス１００を装着した状態で作業を行う。本実施形態においては、作業者が、ピッキングリストに従い、複数の物品のピッキング作業を行う場合を例に実施形態を説明する。図１に示すように、物品が保管される棚１４０には、本体１５１と蓋１５２からなる商品が保管されている。なお、本体１５１及び蓋１５２は、それぞれが複数個ずつ重ねられた状態で保管されている。さらに、図１に示す棚１４０には、棚１４０のロケーション情報を示す２次元コード１４１と、棚に保管されている商品（物品）の商品コードを示す２次元コード１４２が表示されている。スマートグラス１００は、２次元コード１４１の撮影画像から作業者が存在するロケーションを特定することができる。また、スマートグラス１００は、２次元コード１４２の撮影画像から、商品を特定することができる。ここで、商品コードは、商品を識別する情報である。ロケーション情報は、位置やエリアを示す情報である。
【００１４】
なお、スマートグラス１００が撮影画像から作業者のロケーション情報及び商品コードを特定できる仕組みであればよく、そのための構成等は実施形態に限定されるものではない。他の例としては、２次元コードに替えてバーコード、カラービット等が表示され、スマートグラス１００は、これらの撮影画像からロケーション等を特定してもよい。また、他の例としては、棚にロケーション情報及び商品コードがテキスト情報で表示されていてもよい。この場合には、スマートグラス１００は、これらの撮影画像に対し文字認識処理を施すことにより、ロケーション情報等を特定してもよい。また、他の例としては、棚１４０に表示されたロケーション情報等を作業者が読み上げ、スマートグラス１００は、作業者の発話からロケーション情報等を特定してもよい。
【００１５】
図２は、スマートグラス１００のハードウェア構成等の一例を示す図である。スマートグラス１００は、ＣＰＵ１０１、メモリ１０２、カメラＩ／Ｆ１０３、マイクＩ／Ｆ１０４、ディスプレイ１０５、通信Ｉ／Ｆ１０６を含む。各構成は、バス等を介して接続されている。但し、各構成の一部、又は全ては、有線、又は無線を介して通信可能に接続された別々の装置で構成されていてもよい。
【００１６】
ＣＰＵ１０１は、スマートグラス１００の全体を制御する。スマートグラス１００の機能や処理は、ＣＰＵ１０１がメモリ１０２に記憶されているプログラムに基づき処理を実行することにより実現される。メモリ１０２は、プログラム、ＣＰＵ１０１がプログラムに基づき処理を実行する際に使用するデータ等を記憶する。プログラムは、例えば、非一時的記録媒体に記憶され、入出力Ｉ／Ｆを介してメモリ１０２に読み込まれてもよい。カメラＩ／Ｆ１０３は、スマートグラス１００とカメラ１１０とを接続するためのインターフェースである。マイクＩ／Ｆ１０４は、スマートグラス１００とマイク１２０とを接続するためのインターフェースである。ディスプレイ１０５は、ＡＲ（Ａｕｇｍｅｎｔｅｄ  Ｒｅａｌｉｔｙ）を実現するためのディスプレイ等で構成されるスマートグラス１００の表示部である。通信Ｉ／Ｆ１０６は、有線、無線を介して他の装置、例えばサーバ装置１３０等と通信するためのインターフェースである。
【００１７】
カメラ１１０は、スマートグラス１００からの要求に基づき撮影を行う。マイク１２０は、作業者の音声を音声データとしてスマートグラス１００に入力したり、スマートグラス１００からの要求に応じて音声を出力したりする。
【００１８】
図３は、サーバ装置１３０のハードウェア構成の一例を示す図である。サーバ装置１３０は、ＣＰＵ１３１、メモリ１３２、通信Ｉ／Ｆ１３３を含む。各構成は、バス等を介して接続されている。ＣＰＵ１３１は、サーバ装置１３０の全体を制御する。サーバ装置１３０の機能や処理は、ＣＰＵ１３１がメモリ１３２に記憶されているプログラムに基づき処理を実行することにより実現される。メモリ１３２は、プログラム、ＣＰＵ１３１がプログラムに基づき処理を実行する際に使用するデータ等を記憶するサーバ装置１３０の記憶部である。プログラムは、例えば、非一時的記録媒体に記憶され、入出力Ｉ／Ｆを介してメモリ１３２に読み込まれてもよい。通信Ｉ／Ｆ１３３は、有線、無線を介して他の装置、例えばスマートグラス１００等と通信するためのインターフェースである。
【００１９】
次に、サーバ装置１３０に記憶されている情報について説明する。サーバ装置１３０は、商品テーブル、注意喚起テーブル、作業者テーブル、ロケーションテーブルを記憶している。以下、各テーブルについて説明する。なお、テーブルの構成は一例であって、仕様に応じて種々の変更が可能である。
【００２０】
図４は、商品テーブル４００のデータ構成の一例を示す図である。商品テーブル４００において、商品コードと、商品名と、作業種類と、指示情報とロケーション情報とが対応付けられている。商品コードは、商品の識別情報である。作業種類は、商品に対して行う作業の種類である。指示情報は作業時に作業者に提示する指示内容を示す情報である。ロケーション情報は、商品の保管されている場所を示す情報である。本実施形態においては、ロケーション情報は、大エリアと小エリアというように段階的にエリアを示すものである。例えば、「Ｘ００１−００１」は、「Ｘ００１」という大エリア内の「００１」という小エリアを示している。ロケーション情報は、また単に「Ｘ００１」のみを示すものであってもよい。また、エリアの段階数は実施形態に限定されるものではない。また、ロケーション情報は、位置を特定可能な情報であればよく、具体的な内容は実施形態に限定されるものではない。
【００２１】
図５は、注意喚起テーブル５００のデータ構成の一例を示す図である。注意喚起テーブル５００において、商品コードと、作業種類と、習熟レベルと、注意情報と、期間と、出力タイミングとが対応付けられている。習熟レベルは作業者の作業に対する習熟度を示す情報である。注意情報は、対応する作業において作業者に注意喚起すべき情報である。期間は、注意喚起が必要な期間を示す情報である。出力タイミングは、注意情報を出力するタイミングを示す情報である。このように、注意喚起テーブル５００は、商品と、その作業種類と、作業者の習熟レベルに応じた注意情報を記憶するテーブルである。ここで、商品、作業種類及び熟練レベルは、注意情報を出力するか否かを判定するための予め定められた条件である。
【００２２】
図６は、作業者テーブル６００のデータ構成の一例を示す図である。作業者テーブル６００において、作業者コードと、習熟レベルと、備考と、が対応付けられている。作業者コードは、作業者の識別情報である。図７は、ロケーションテーブル７００のデータ構成の一例を示す図である。ロケーションテーブル７００において、ロケーション情報と、注意情報とが対応付けられている。すなわち、ロケーションテーブル７００は、作業場所に応じた注意情報を記憶するテーブルである。
【００２３】
図８は、情報処理システムによる作業管理処理を示すシーケンス図である。Ｓ８００において、サーバ装置１３０のＣＰＵ１３１は、ピッキングリストを作成する。次に、Ｓ８０１において、ＣＰＵ１３１は、ピッキングリストに従って作業を行う作業者のスマートグラス１００に対し、ピッキングリストを送信する。図９は、ピッキングリスト９００のデータ構成の一例を示す図である。ピッキングリスト９００には、ピッキング対象の商品の商品コードがピッキング順に一覧表示されている。さらに、商品名、個数、ロケーション情報、作業種類が商品コードに対応付けて記載されている。ピッキングリスト９００は、出荷作業の際、ＣＰＵ１３１が、例えば図示しない出荷情報テーブル等に記憶される当該出荷作業日時の出庫対象商品について、図４に示す商品テーブル４００から必要な項目を抽出することにより生成される。
【００２４】
作業者は、自身が装着するスマートグラス１００が受信したピッキングリストに従い、ピッキング作業を進める。具体的には、作業者は、まずピッキングリストに示される、ピッキング対象の商品の棚に移動する。なお、作業者の作業中は、カメラ１１０は常に撮影を行う。そして、Ｓ８０２において、スマートグラス１００のＣＰＵ１０１は、商品コードを取得したか否かを判定する。ＣＰＵ１０１は、撮像部としてのカメラ１１０から取得した撮影画像に２次元コードが示されており、２次元コードから商品コードを読み取った場合に、商品コードを取得したと判定する。図１を参照しつつ説明したように、本実施形態においては、商品コードの２次元コードは、商品が保管されている棚に表示されている。したがって、作業者が商品の棚に到着したときに、ＣＰＵ１０１が商品コードを取得することになる。
【００２５】
ＣＰＵ１０１は、商品コードを取得すると（Ｓ８０２でＹｅｓ）、処理をＳ８０３へ進める。ＣＰＵ１０１は、商品コードを取得しなかった場合には（Ｓ８０２でＮｏ）、処理をＳ８０８へ進める。Ｓ８０３において、ＣＰＵ１０１は、ピッキングリストにおいて、Ｓ８０２において取得した商品コードに対応付けられている作業種類を特定する。そして、ＣＰＵ１０１は、Ｓ８０２において取得した商品コード、作業種類及び作業者の作業者コードをサーバ装置１３０に送信する。なお、作業者コードは、スマートグラス１００のメモリ１０２に予め記憶されているものとする。また他の例としては、作業開始時に作業者が作業者コードが示されたバーコードをスマートグラス１００に読み取らせ、スマートグラス１００が読み取ったバーコードに対応した作業者コードをメモリ１０２に記憶してもよい。ここで、商品コードは、作業対象商品（物品）に係る物品情報の一例である。また、Ｓ８０３の処理は、物品情報を取得する取得処理の一例である。
【００２６】
サーバ装置１３０のＣＰＵ１３１は、Ｓ８０３において作業種類、商品コード及び作業者コードを受信すると処理をＳ８０４へ進める。Ｓ８０４において、ＣＰＵ１３１は、商品テーブル４００（図４）を参照し、商品コード、作業種類に応じて、指示情報を特定する。また、ＣＰＵ１３１は、作業者テーブル６００（図６）を参照し、作業者コードから習熟レベルを特定する。そして、ＣＰＵ１３１は、注意喚起テーブル５００（図５）を参照し、商品コード、作業種類及び習熟レベルの条件に合致するか否かを判定し、条件に合致する注意情報が記憶されている場合に、注意情報、期間及び出力タイミングを特定する。なお、注意情報は商品コード、作業種類及び作業者属性としての習熟レベルに応じて定まるものであり、Ｓ８０４の処理は、商品（物品）に基づいて、注意情報を決定する決定処理の一例である。
【００２７】
次に、Ｓ８０５において、ＣＰＵ１３１は、指示情報及び注意情報をスマートグラス１００に送信する。このとき、ＣＰＵ１３１は、注意情報と共に、注意情報の期間及び出力タイミングも送信する。
【００２８】
スマートグラス１００のＣＰＵ１０１は、Ｓ８０５において、指示情報及び注意情報を受信すると、処理をＳ８０６へ進める。Ｓ８０６において、ＣＰＵ１０１は、指示情報をディスプレイ１０５に表示するよう制御する。次に、Ｓ８０７において、ＣＰＵ１０１は、期間及び出力タイミングを参照し、適切なタイミングで注意情報を表示する。例えば、商品コード「Ｍ００１」、作業種類「出庫」に対しては、期間「無期限」、出力タイミング「作業開始時」が対応付けられている。したがって、この場合には、注意情報の受信後速やかに注意情報の表示を行うよう制御する。なお、出力タイミング「作業終了時」が対応付けられている場合には、ＣＰＵ１０１は、「ＯＫ！ピック完了！」という作業者の発話をマイク１２０を介して受け付けたときに、「作業終了時」と判断し、このタイミングで注意情報の表示を行う。さらに、スマートグラス１００は、「ＯＫ！到着」、「ＯＫ！作業開始！」等の発話を受け付け、これらの発話に基づいて、出力タイミングの判定を行ってもよい。Ｓ８０７の処理は、注意情報を出力するよう制御する出力制御処理の一例である。
【００２９】
図１０は、Ｓ８０６においてスマートグラス１００がディスプレイ１０５に表示する表示画面の一例を示す図である。表示画面１０００には、「以下の品目をピックして下さい」という指示情報が表示され、商品に関する情報が併せて表示される。図１１は、Ｓ８０７においてスマートグラス１００がディスプレイ１０５に表示する表示画面の一例を示す図である。表示画面１１００には、「本体と蓋の両方をピックして下さい。」という注意情報が表示される。このように、スマートグラス１００は、適切なタイミングにおいて、作業において作業者の注意を喚起するための注意情報を出力するよう制御することができる。なお、サーバ装置１３０は、Ｓ８０４において条件に合致する注意情報が記憶されていなかった場合には、注意情報の送信は行わない。これに伴い、スマートグラス１００によるＳ８０７における注意情報の表示も行われず、Ｓ８０６の処理の後、処理はＳ８０８へ進む。
【００３０】
図８に戻り、Ｓ８０７の処理の後、Ｓ８０８において、スマートグラス１００のＣＰＵ１０１は、ロケーション情報を取得したか否かを判定する。ＣＰＵ１０１は、カメラ１１０から取得した撮影画像に２次元コードが示されており、２次元コードからロケーション情報を読み取った場合に、ロケーション情報を取得したと判定する。ここで、ロケーション情報は、作業者の位置に係る位置情報の一例である。
【００３１】
ＣＰＵ１０１は、ロケーション情報を取得すると（Ｓ８０８でＹｅｓ）、処理をＳ８０９へ進める。ＣＰＵ１０１は、ロケーション情報を取得しなかった場合には（Ｓ８０８でＮｏ）、処理をＳ８１３へ進める。Ｓ８０９において、ＣＰＵ１０１は、ロケーション情報をサーバ装置１３０に送信する。
【００３２】
サーバ装置１３０は、Ｓ８０９において、ロケーション情報を受信すると、処理をＳ８１０へ進める。Ｓ８１０において、サーバ装置１３０のＣＰＵ１３１は、ロケーションテーブル７００を参照し、受信したロケーション情報が、ロケーションテーブル７００に記憶されている条件に合致するか否かを判定し、合致する場合に、対応する注意情報を特定する。次に、Ｓ８１１において、ＣＰＵ１３１は、特定した注意情報をスマートグラス１００に送信する。スマートグラス１００は、Ｓ８１１において注意情報を受信すると、処理をＳ８１２へ進める。Ｓ８１２において、ＣＰＵ１０１は、注意情報を表示するよう制御する。
【００３３】
なお、Ｓ８１０において、ＣＰＵ１３１は、受信したロケーション情報がロケーションテーブル７００に記憶されていない場合、すなわちロケーション情報の条件に合致しない場合には、注意情報の送信は行わない。これに伴い、スマートグラス１００によるＳ８１２における注意情報の表示も行われず、Ｓ８１１の処理の後、処理はＳ８１３へ進む。
【００３４】
また、他の例としては、ロケーションテーブル７００においても、注意情報に対する期限や出力タイミングが定められていてもよい。この場合には、Ｓ８１２において、ＣＰＵ１０１は、対応する期限及び出力タイミングに従い、注意情報の表示を制御する。
【００３５】
Ｓ８１２の処理ののち、Ｓ８１３において、ＣＰＵ１０１は、ピッキングリストに示されるすべての作業が完了したか否かを判定する。例えば、作業完了時に作業者は「ＯＫ！ピック完了」と発話することとし、ＣＰＵ１０１は、この発話を、マイク１２０を介して受け付けた場合にすべての作業が完了したと判定する。ＣＰＵ１０１は、すべての作業が完了した場合には（Ｓ８１３でＹｅｓ）、作業管理処理を終了する。ＣＰＵ１０１は、未処理の作業がある場合には（Ｓ８１３でＮｏ）、処理をＳ８０２へ進め、処理を継続する。
【００３６】
以上のように、本実施形態に係る情報処理システムは、作業に関する注意喚起を簡素な構成で適切なタイミングで行うことができる。
【００３７】
なお、本実施形態の第１の変形例としては、図８を参照しつつ説明したスマートグラス１００の処理とサーバ装置１３０の各処理の主体となる装置は実施形態に限定されるものではない。例えば、Ｓ８００において、サーバ装置１３０は、ピッキングリストに、指示情報や、注意情報とその期間、出力タイミング等も記載されたピッキングリストを作成、送信する。そして、スマートグラス１００は、注意情報の出力の都度、サーバ装置１３０とのやり取りを行うことなく、取得したピッキングリストに含まれる情報を参照して、指示情報や注意情報を表示してもよい。すなわち、スマートグラス１００のＣＰＵ１０１が、ピッキングリストに示される商品コードと指示情報の対応付けに基づいて指示情報の特定を行う。同様に、ＣＰＵ１０１が商品コードと注意情報の対応付けに基づいて注意情報の特定を行う。また、他の例としては、スマートグラス１００が商品テーブル４００、注意喚起テーブル５００、ロケーションテーブル７００を記憶しており、すべての処理をスマートグラス１００が行ってもよい。
【００３８】
また、第２の変形例としては、本実施形態においては、スマートグラス１００は、複数の注意情報の出力タイミングが重なった場合には、すべての注意情報を出力するが、これに替えて、優先順位に応じて注意情報を出力してもよい。例えば、サーバ装置１３０は、注意情報毎に優先順位を定めておく。そして、サーバ装置１３０は、注意情報をスマートグラス１００に送信する際には、優先順位も併せて送信する。そして、スマートグラス１００は、比較的短い一定期間に送信対象となった注意情報のうち優先順位が最も高い注意情報のみを出力することとする。
【００３９】
第３の変形例としては、スマートグラス１００による注意情報の出力形態は実施形態に限定されるものではない。スマートグラス１００は、図１２に示すように、テキスト情報だけでなく、注意喚起を促す画像１２００をディスプレイ１０５に表示してもよい。また、他の例としては、スマートグラス１００はさらにスピーカを備え、音声１２１０により注意情報をスピーカから出力してもよい。
【００４０】
第４の変形例としては、スマートグラス１００が注意情報を出力（表示）した後、作業者が注意情報を確認したことをスマートグラス１００が確認するようにしてもよい。例えば、図１３に示すように、スマートグラス１００は、注意情報と共に、確認済みの入力を促す情報１３０１を表示する。さらにその後数分程度の一定期間確認済みの入力を受け付けない場合には、スマートグラス１００は、再度確認済みの入力を促す情報１３０２を表示する。なお、スマートグラス１００は、情報１３０１の表示後、確認した旨を示す確認情報を受け付けた場合には、情報１３０２の表示は行わない。
【００４１】
第５の変形例としては、スマートグラス１００は、注意情報の表示による注意喚起が作業者の役に立ったか否かの有用性のフィードバックを受け付けてもよい。スマートグラス１００は、例えば、図１４に示すような確認画面１４００を表示する。確認画面１４００には、注意喚起に対する評価入力を促す情報が表示されている。本例においては、作業者は、「１」〜「３」の数値で評価を入力することができる。これに対し、スマートグラス１００は、評価結果を示す評価情報を受け付け（受付処理）、サーバ装置１３０に送信する。そして、サーバ装置１３０は、評価結果の集計を行い、これを出力する。図１５は、評価結果の出力例を示す図である。これにより、管理者等は、作業工程の改善等の検討の際に評価結果を参照することができる。
【００４２】
第６の変形例としては、スマートグラス１００は、例えば、作業工程を示す工程情報を特定し、作業工程に応じた注意情報を表示するよう制御してもよい。なお、作業工程の特定の仕方としては、例えば、その作業工程においてのみ用いられる部品や器具等に表示された２次元コードを読み取り、工程情報を特定してもよい。あるいは、ユーザが作業を開始する際に、入力装置を介して、作業工程を示す情報を情報処理システムに入力することで、スマートグラス１００が作業工程を示す工程情報を特定する構成であってもよい。
【００４３】
第７の変形例としては、本実施形態においては、図８を参照しつつ説明したように、本実施形態のスマートグラス１００は、商品に関する注意喚起の後、位置に関する注意喚起を行うが、処理順序は実施形態に限定されるものではない。他の例としては、スマートグラス１００は、位置に関する注意喚起を行った後、商品に関する注意喚起を行うこととしてもよい。具体的には、スマートグラス１００は、図８に示すＳ８０８〜Ｓ８１２の処理の後で、Ｓ８０１〜Ｓ８０７の処理を行うこととしてもよい。さらに、サーバ装置１３０は、ピッキングリストを生成する際に、ピンキングリストに位置情報ごとの注意情報や商品ごとの注意情報を含めた形で生成してもよい。この場合、スマートグラス１００は、ピッキングリストを受信した後は、サーバ装置１３０への確認を行わずに、ピッキングリストに含まれる注意情報に基づいて、作業者に注意情報を提示することとしてもよい。
【００４４】
第８の変形例としては、スマートグラス１００が記憶する各種データ（テーブル）のデータ構成は実施形態に限定されるものではない。例えば、図１６は、変形例に係るテーブルの一例である。図１６に示すテーブル１６００は、実施形態において説明した注意喚起テーブル５００（図５）にロケーションテーブル７００を組み込んだテーブルである。
【００４５】
スマートグラス１００は、例えば、作業場所に応じた注意情報を出力する場合、取得した作業者の作業場所を示す情報に基づいて、図１６に示すテーブルのロケーション情報のフィールドを参照する。そして、スマートグラス１００は、当該作業場所と一致するロケーション情報が含まれるレコードの注意情報を出力することとしてもよい。また、他の例としては、スマートグラス１００は、取得した作業対象の商品の情報に基づいて、図１６に示すテーブルの商品コードのフィールドを参照し、当該商品と一致する商品コードが含まれるレコードの注意情報を出力することとしてもよい。また、スマートグラス１００は、複数のフィールドの情報に基づいて、注意情報を出力することとしてもよい。例えば、図１６に示すテーブルに含まれる情報のうち、取得した作業者や作業者に関する情報に対応する商品コード、作業種類、ロケーション情報、習熟レベルの全てが一致するレコードの注意情報を出力することとしてもよい。
【００４６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００４７】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2019049643.tif 000003
【図２】
2019049643.tif 000004
【図３】
2019049643.tif 000005
【図４】
2019049643.tif 000006
【図５】
2019049643.tif 000007
【図６】
2019049643.tif 000008
【図７】
2019049643.tif 000009
【図８】
2019049643.tif 000010
【図９】
2019049643.tif 000011
【図１０】
2019049643.tif 000012
【図１１】
2019049643.tif 000013
【図１２】
2019049643.tif 000014
【図１３】
2019049643.tif 000015
【図１４】
2019049643.tif 000016
【図１５】
2019049643.tif 000017
【図１６】
2019049643.tif 000018
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
作業者による物品のピッキング作業を支援する情報処理システムであって、
前記ピッキング作業対象の物品の識別に係る物品情報を取得する取得手段と、
前記取得手段が取得した前記物品情報に基づいて前記ピッキング作業対象の物品に係る条件に合致するか否かを判定する判定手段と、
前記判定手段が前記条件に合致すると判定した場合に、前記作業者の注意を喚起する注意情報を出力するよう制御する出力制御手段と
を有することを特徴とする情報処理システム。
【請求項２】
前記出力制御手段は、前記物品情報に対応付けられた物品の組合せに係る注意情報を出力するよう制御することを特徴とする請求項１に記載の情報処理システム。
【請求項３】
前記判定手段は、前記作業者が従うピッキングリストに示された物品情報を前記取得手段が取得した場合に、前記物品情報に基づいて前記ピッキング作業対象の物品に係る条件に合致するか否かを判定することを特徴とする請求項１又は２に記載の情報処理システム。
【請求項４】
前記取得手段は、前記作業者が装着するウェアラブルデバイスの撮像部により撮像された画像から前記物品情報を取得することを特徴とする請求項１乃至３の何れか１項に記載の情報処理システム。
【請求項５】
前記出力制御手段は、前記作業者が装着するウェアラブルデバイスの表示部に前記注意情報を出力するよう制御することを特徴とする請求項１乃至４の何れか１項に記載の情報処理システム。
【請求項６】
前記物品情報に基づいて、前記注意情報を決定する決定手段をさらに有し、
前記出力制御手段は、前記決定手段により決定された前記注意情報を出力するよう制御することを特徴とする請求項１乃至５の何れか１項に記載の情報処理システム。
【請求項７】
前記取得手段は、前記ピッキング作業での作業の種類を示す作業種類情報を取得し、
前記判定手段は、さらに前記取得手段が取得した前記作業種類情報に基づいて前記ピッキング作業での作業の種類に係る条件に合致するか否かを判定することを特徴とする請求項１乃至５の何れか１項に記載の情報処理システム。
【請求項８】
前記物品情報及び前記作業種類情報に基づいて、前記注意情報を決定する決定手段をさらに有し、
前記出力制御手段は、前記決定手段により決定された前記注意情報を出力するよう制御することを特徴とする請求項７に記載の情報処理システム。
【請求項９】
前記取得手段は、前記ピッキング作業での作業場所に係る位置情報を取得し、
前記判定手段は、さらに前記取得手段が取得した前記位置情報に基づいて前記ピッキング作業での作業の作業場所に係る条件に合致するか否かを判定することを特徴とする請求項１乃至５の何れか１項に記載の情報処理システム。
【請求項１０】
前記物品情報及び前記位置情報に基づいて、前記注意情報を決定する決定手段をさらに有し、
前記出力制御手段は、前記決定手段により決定された前記注意情報を出力するよう制御することを特徴とする請求項９に記載の情報処理システム。
【請求項１１】
前記出力制御手段は、前記ピッキング作業の作業を行うタイミングが期間に係る予め定められた条件に合致する場合に、前記注意情報を出力するよう制御することを特徴とする請求項１乃至１０の何れか１項に記載の情報処理システム。
【請求項１２】
前記作業者の属性に基づいて、前記注意情報を決定する決定手段をさらに有し、
前記取得手段は、前記作業者の属性を取得し、
前記出力制御手段は、前記決定手段により決定された前記注意情報を出力するよう制御することを特徴とする請求項１乃至１１の何れか１項に記載の情報処理システム。
【請求項１３】
前記注意情報を確認した旨の確認情報を受け付ける受付手段をさらに有することを特徴とする請求項１乃至１２の何れか１項に記載の情報処理システム。
【請求項１４】
前記注意情報の出力に対する作業者からの評価情報を受け付ける受付手段と、
前記評価情報を集計する集計手段と
を有することを特徴とする請求項１乃至１３の何れか１項に記載の情報処理システム。
【請求項１５】
作業者による物品のピッキング作業を支援する情報処理装置であって、
取得した前記ピッキング作業対象の物品の識別に係る物品情報に基づいて前記ピッキング作業対象の物品に係る条件に合致するか否かを判定する判定手段と、
前記判定手段が前記条件に合致すると判定した場合に、前記作業者の注意を喚起する注意情報を出力するよう制御する出力制御手段と
を有することを特徴とする情報処理装置。
【請求項１６】
作業者による物品のピッキング作業を支援する情報処理システムが実行する情報処理方法であって、
前記ピッキング作業対象の物品の識別に係る物品情報を取得する取得ステップと、
前記取得ステップにて取得した前記物品情報に基づいて前記ピッキング作業対象の物品に係る条件に合致するか否かを判定する判定ステップと、
前記判定ステップにて前記条件に合致すると判定した場合に、前記作業者の注意を喚起する注意情報を出力するよう制御する出力制御ステップと
を含むことを特徴とする情報処理方法。
【請求項１７】
作業者による物品のピッキング作業を支援する情報処理装置のコンピュータを、
取得した前記ピッキング作業対象の物品の識別に係る物品情報に基づいて前記ピッキング作業対象の物品に係る条件に合致するか否かを判定する判定手段と、
前記判定手段が前記条件に合致すると判定した場合に、前記作業者の注意を喚起する注意情報を出力するよう制御する出力制御手段と
して機能させるためのプログラム。
【請求項１８】
作業者による物品のピッキング作業を支援する情報処理装置のコンピュータを、
取得した前記ピッキング作業対象の物品の識別に係る物品情報に基づいて前記ピッキング作業対象の物品に係る条件に合致するか否かを判定する判定手段と、
前記判定手段が前記条件に合致すると判定した場合に、前記作業者の注意を喚起する注意情報を出力するよう制御する出力制御手段と
して機能させるためのプログラムを記憶したコンピュータにより読み取り可能な記憶媒体。
【手続補正２】
【補正対象書類名】明細書
【補正対象項目名】０００６
【補正方法】変更
【補正の内容】
【０００６】
そこで、本発明は、作業者による物品のピッキング作業を支援する情報処理システムであって、前記ピッキング作業対象の物品の識別に係る物品情報を取得する取得手段と、前記取得手段が取得した前記物品情報に基づいて前記ピッキング作業対象の物品に係る条件に合致するか否かを判定する判定手段と、前記判定手段が前記条件に合致すると判定した場合に、前記作業者の注意を喚起する注意情報を出力するよう制御する出力制御手段とを有することを特徴とする。
【国際調査報告】
2019049643.tif 000019
2019049643.tif 000020
2019049643.tif 000021
2019049643.tif 000022